(57)【要約】【課題】プラパート３を床面に接地させていないときに金庫ユニット４を引き出すことを防止し自動取引装置１が転倒することを防止する。【解決手段】金庫ユニット４を備え、プラパート３を収納して移動しプラパート３を引き出して設置する自動取引装置１において、前記プラパート３を収納したときに当該プラパート３の上部先端を挿入させて前記金庫ユニット４を引き出せないようにする凹部を前記金庫ユニット４の底部に設け、前記凹部は、切欠き部４ａまたはねじタップ部４ｂとした。【選択図】図１
2012048398.tif 000002
【特許請求の範囲】
【請求項１】
ユニットを備え、プラパートを収納して移動しプラパートを引き出して設置する自動取引装置において、
前記プラパートを収納したときに当該プラパートの上部先端を挿入させて前記ユニットを引き出せないようにする凹部を前記ユニットの底部に設けたことを特徴とする自動取引装置。
【請求項２】
前記凹部は、前記プラパートを収納したときに当該プラパートの上部先端が入り込む切欠き部としたことを特徴とする請求項１記載の自動取引装置。
【請求項３】
前記凹部は、前記プラパートを収納したときに当該プラパートの上部先端と篏合するねじタップ部としたことを特徴とする請求項１記載の自動取引装置。
【発明の詳細な説明】
【技術分野】
【０００１】
本発明は、ユニットを備え、プラパートを収納して移動しプラパートを引き出して設置する入出金機などの自動取引装置における転倒防止構造に関するものである。
【背景技術】
【０００２】
一般に、この種の自動取引装置では、装置を移動するときはキャスタとともに装置底部に備えたプラパートをキャスタの接地位置より上側に収納してキャスタにて移動し、装置を設置するときはキャスタの接地位置より下側にプラパートを下げて装置を固定し倒れないようになっている。
【０００３】
そして、移動時でも転倒しないような構造とするために、底部に、張り出し及び収納可能に設けられた転倒防止足と、転倒防止足に取り付けられ移動のための手段を収納したキャスタと、転倒防止足を、キャスタにて支持してなす転倒角よりもキャスタにて支持してなす転倒角を大きくする位置に張り出し可能として、装置が転倒しないようにする技術はあった（例えば、特許文献１参照）。
【先行技術文献】
【特許文献】
【０００４】
【特許文献１】特開２００１−１４８５８３号公報
【発明の概要】
【発明が解決しようとする課題】
【０００５】
しかしながら、上記従来の自動取引装置では、プラパートを床面に接地させていないときに、金庫ユニット・メカユニット等の重量のあるユニットを自動取引装置から引き出したときは、自動取引装置の重心バランスが崩れて転倒防止足では支えきれず転倒し、自動取引装置を毀損したりオペレータに怪我を負わせてしまったりすることがあった。
【課題を解決するための手段】
【０００６】
本発明は、前述の課題を解決するために次の構成を採用する。すなわち、ユニットを備え、プラパートを収納して移動しプラパートを引き出して設置する自動取引装置において、前記プラパートを収納したときに当該プラパートの上部先端を挿入させて前記ユニットを引き出せないようにする凹部を前記ユニットの底部に設けた。
【発明の効果】
【０００７】
本発明の自動取引装置によれば、以上のように構成したので、プラパートを床面に接地させていないときは、ユニットを引き出せないようにすることができ、自動取引装置の転倒を確実に防ぐことができる。
また、以上のように構成したので、派生的効果として、自動取引装置を移動する際に、金庫ユニットが前記切欠き部と前記プラパート上部先端により固定されるので、金庫ユニットが引き出されて、金庫ユニットが盗難されたり、装置内部の構造を見られてしまうおそれもなくすことができる。
【図面の簡単な説明】
【０００８】
【図１】実施例１の自動取引装置の外観斜視図である。
【図２】実施例１の自動取引装置の要部構成図である。
【図３】実施例１の自動取引装置の金庫ユニットの構成図である。
【図４】実施例１の自動取引装置の要部拡大図および動作説明図である。
【図５】実施例１の自動取引装置の要部拡大図および動作説明図である。
【図６】実施例２の自動取引装置の金庫ユニットの構成図である。
【図７】実施例２の自動取引装置の要部構成および動作説明図である。
【図８】実施例２の自動取引装置の要部構成および動作説明図である。
【発明を実施するための形態】
【０００９】
以下、本発明に係わる実施の形態例を、図面を用いて説明する。図面に共通する要素には同一の符号を付す。
【００１０】
なお、以下の説明では、金融機関等に設置され入出金等の取引を行う自動取引装置を例として説明するが、両替機などの現金処理機、乗車券等の発券を行う自動券売機、或いはコピー機などであってもよい。
【実施例１】
【００１１】
（構成）
図１は、実施例１の自動取引装置の構成を示した外観斜視図であり、図２は、実施例１の自動取引装置の要部構成を示した側面図である。
【００１２】
同図に示したように実施例１の自動取引装置１は、操作カバー部２と、図示しないスライドレール等により矢印Ａのように前面側へ引出し可能な金庫ユニット４と、同様に引出し可能な上部引出ユニット５、下部引出ユニット６を備える。操作カバー部２には、図示しない操作モニタや入出金口、操作部等が設けられる。
【００１３】
また、実施例１の自動取引装置１の下部には、装置を移動するためのキャスタ８と、自動取引装置１を移動および設置するときに上側に収納および床側に引出し可能なプラパート３が配置されている。
【００１４】
なお、本例では、重量のあるユニットとして金庫ユニット４、比較的軽量なユニットとして上部引出ユニット５および下部引出ユニット６を備えた例として説明するが、その他のユニットを備えた構成であっても勿論よい。
【００１５】
次に、図２の自動取引装置の要部構成図、図３の金庫ユニットの構成図、図４および図５の要部拡大図を用いて、自動取引装置の要部構成をさらに詳細に説明する。
【００１６】
実施例１の自動取引装置では、図４のように、プラパート３のプラパートねじ部３ａを取付けるための装置キャビネットねじ部７ａが装置キャビネット７に備えられており、この装置キャビネットねじ部７ａにプラパートねじ部３ａを嵌め込むことより図５のようにキャスタ８の内側まで収納できるようになっている。
【００１７】
一方、金庫ユニット４には、図３のａ部のように、金庫ユニット４を引き出せないようにする凹部としての、切欠き穴４ａが備えられており、図５のようにプラパート３を収納したときに、プラパートねじ部３ａが切欠き穴４ａに入り込み、金庫ユニット４を引き出すときのストッパーとして機能するようになっている。
【００１８】
（動作）
以上の構成により実施例１の自動取引装置は、以下のように動作する。この動作を、前出図４および図５を用いて以下詳細に説明する。
【００１９】
まず、図４のように、キャスタ８の高さを超えてプラパート３が矢印Ｂのように床面に接地された状態では、プラパートねじ部３ａが金庫ユニット４に設けられた切欠き穴４ａから抜けた状態となり、金庫ユニット４の図示しないロック部を解除すれば矢印Ａのように引き出すことができ、紙幣等の媒体の取り出しや収納などの保守を行うことができる。
【００２０】
一方、図５のように、自動取引装置１を移動等しようとして、プラパート３をキャスタ８の高さより低くして床面に接地していない状態とした場合では、プラパート３は矢印Ｃのように移動し、プラパートねじ部３ａが切欠き穴４ａに入り込んだ状態となる。
【００２１】
この状態で、金庫ユニット４の図示しないロック部を解除し金庫ユニット４を引き出そうとしても、金庫ユニット４下部の切欠き穴４ａがプラパートねじ部３ａに突き当たり、引き出すことができない。従って、自動取引装置１の転倒を防止することができる。
【００２２】
（実施例１の効果）
以上のように、実施例１の自動取引装置によれば、ユニットを備え、プラパートを収納して移動しプラパートを引き出して設置する自動取引装置において、前記プラパートを収納したときに当該プラパートの上部先端を挿入させて前記ユニットを引き出せないようにする切欠き部をユニット底部に設けるようにしたので、プラパートを床面に接地させていないときにユニットを引き出すことを防止し自動取引装置が転倒することを防止することができる。
【００２３】
また、実施例１の自動取引装置によれば、派生的効果として、自動取引装置を移動する際に、金庫ユニットが前記切欠き部と前記プラパート上部先端により固定されるので、金庫ユニットが引き出されて、金庫ユニットが盗難されたり、装置内部の構造を見られてしまうおそれもなくすことができる。
【実施例２】
【００２４】
（構成）
実施例２の自動取引装置１では、図６の金庫ユニット４の構成図に示したように、金庫ユニット４を引き出せないようにする凹部として、実施例１にて金庫ユニット下部に備えた切欠き部４ａに替えて、プラパートねじ部３ａを挿入可能なねじタップ部４ｂを備えている。その他の構成は、実施例１の構成と同様であるので簡略化のためにその詳細な説明は省略する。
【００２５】
（動作）
以上の構成により、実施例２の自動取引装置１は以下のように動作する。この動作を図７、図８の実施例２の自動取引装置の要部構成および動作説明図を用いて以下詳細に説明する。
【００２６】
まず、図７のように、キャスタ８の高さを超えてプラパート３が矢印Ｂのように床面に接地された状態では、プラパートねじ部３ａが金庫ユニット４に設けられたねじタップ部４ｂから抜けた状態となっており、金庫ユニット４の図示しないロック部を解除すれば矢印Ａのように引き出すことができ、紙幣等の媒体の取り出しや収納などの保守を行うことができる。
【００２７】
一方、図８のように、自動取引装置１を移動等しようとして、プラパート３をキャスタ８の高さより低くして床面に接地していない状態とした場合では、プラパート３は矢印Ｃのように移動し、ねじタップ部４ｂにプラパートねじ部３ａが篏合した状態となっている。
【００２８】
この状態で、金庫ユニット４の図示しないロック部を解除し金庫ユニット４を引き出そうとしても、金庫ユニット４下部のねじタップ部４ｂがプラパートねじ部３ａに篏合されており引き出すことができない。従って、自動取引装置１の転倒を確実に防止することができる。
【００２９】
なお、以上のように、プラパート３を床面に接地していない状態とすると金庫ユニット４と装置キャビネット７がねじにより勘合された状態となるため、ねじタップ部４ｂとプラパートねじ部３ａが自動取引装置１を移動するときの金庫ユニット４の固定金具としても作用する。
【００３０】
（実施例２の効果）
以上のように、実施例２の自動取引装置によれば、ユニットを備え、プラパートを収納して移動しプラパートを引き出して設置する自動取引装置において、前記プラパートを収納したときに当該プラパートの先端と篏合するねじタップ部をユニット底部に設けたので、プラパートを床面に接地させていないときにユニットを引き出すことを確実に防止し自動取引装置が転倒することを防止することができる。
【００３１】
また、実施例２の自動取引装置によれば、派生的効果として、自動取引装置を移動する際に金庫ユニットが前記ねじタップ部と前記プラパート上部先端により確実に固定されるので、金庫ユニットが引き出されて金庫ユニットが盗難されたり、装置内部の構造を見られてしまうおそれを確実になくすことができるとともに、新たな輸送用の金具を設ける必要がなくなり経済的効果をも奏する。
【産業上の利用可能性】
【００３２】
以上述べたように、本発明は、ユニットを備え、プラパートを収納して移動しプラパートを引き出して設置する入出金機などの自動取引装置に広く用いることができる。
【符号の説明】
【００３３】
１    自動取引装置
２    操作カバー部
３    プラパート
３ａ  プラパートねじ部
４    金庫ユニット
４ａ  切欠き穴
４ｂ  ねじタップ部
５、６  引出しユニット
７    装置キャビネット
７ａ  装置キャビネットねじ部
８    キャスタ
【図１】
2012048398.tif 000003
【図２】
2012048398.tif 000004
【図３】
2012048398.tif 000005
【図４】
2012048398.tif 000006
【図５】
2012048398.tif 000007
【図６】
2012048398.tif 000008
【図７】
2012048398.tif 000009
【図８】
2012048398.tif 000010